(57)【要約】    【課題】  所望の画面サイズが得られるプロジェクタの設置位置を効率よく決めることができるプロジェクタを提供する。    【解決手段】  光源１２と、光源１２からの光を画像データに応じて変調する液晶装置１３と、液晶装置１３で変調された光を投写面３０に投写する投写光学系１５と、投写光学系１５のズーム比を変更することが可能なズーム装置１７とを備えたプロジェクタ１０であって、プロジェクタ１０を投写面３０に対して所定の位置に設置したときに投写面３０に投写可能な投写画像の画面サイズの範囲である投写可能画面サイズ範囲を、投写面３０に表示させる投写可能画面サイズ範囲表示装置１９をさらに備えたことを特徴とするプロジェクタ。【選択図】  図１
2006165618.tif 000002
【特許請求の範囲】
【請求項１】
光源と、前記光源からの光を画像データに応じて変調する電気光学変調装置と、前記電気光学変調装置で変調された光を投写面に投写する投写光学系と、前記投写光学系のズーム比を変更することが可能なズーム装置とを備えたプロジェクタであって、
前記プロジェクタを前記投写面に対して所定の位置に設置したときに前記投写面に投写可能な投写画像の画面サイズの範囲（以下、投写可能画面サイズ範囲という。）を、前記投写面に表示させる投写可能画面サイズ範囲表示装置をさらに備えたことを特徴とするプロジェクタ。
【請求項２】
請求項１に記載のプロジェクタにおいて、
前記投写可能画面サイズ範囲表示装置は、プロジェクタから投写面までの距離（以下、投写距離という。）を取得する投写距離取得装置と、前記投写距離取得装置が取得した投写距離から前記投写可能画面サイズ範囲を算出する投写可能画面サイズ範囲算出装置と、前記投写可能画面サイズ範囲算出装置が算出した投写可能画面サイズ範囲を前記画像データに重畳するデータ重畳装置とを有することを特徴とするプロジェクタ。
【請求項３】
請求項２に記載のプロジェクタにおいて、
前記投写可能画面サイズ範囲表示装置は、投写距離と投写可能画面サイズ範囲との関係が記述された第１のテーブルをさらに有し、
前記投写可能画面サイズ範囲算出装置は、前記第１のテーブルを参照することによって前記投写距離から前記投写可能画面サイズ範囲を算出することを特徴とするプロジェクタ。
【請求項４】
請求項２に記載のプロジェクタにおいて、
前記投写可能画面サイズ範囲表示装置は、投写面に対するプロジェクタの傾き角度を取得する傾き角度取得装置をさらに有するとともに、
前記投写可能画面サイズ範囲算出装置に代えて、前記投写距離及び前記傾き角度から前記投写可能画面サイズ範囲を算出する第２の投写可能画面サイズ範囲算出装置を有することを特徴とするプロジェクタ。
【請求項５】
請求項４に記載のプロジェクタにおいて、
前記投写可能画面サイズ範囲表示装置は、投写距離と投写可能画面サイズ範囲との関係が傾き角度毎に記述された第２のテーブルをさらに有し、
前記第２の投写可能画面サイズ範囲算出装置は、前記第２のテーブルを参照することによって前記傾き角度及び前記投写距離から前記投写可能画面サイズ範囲を算出することを特徴とするプロジェクタ。
【請求項６】
光源と、前記光源からの光を画像データに応じて変調する電気光学変調装置と、前記電気光学変調装置で変調された光を投写面に投写する投写光学系と、前記投写光学系のズーム比を変更することが可能なズーム装置とを備えたプロジェクタにおける投写可能画面サイズ範囲表示方法であって、
プロジェクタから投写面までの投写距離を取得するステップと、
前記投写距離から前記投写可能画面サイズ範囲を算出するステップと、
前記投写可能画面サイズ範囲を画像データに重畳させるステップとを有することを特徴とするプロジェクタにおける投写可能画面サイズ範囲表示方法。
【請求項７】
光源と、前記光源からの光を画像データに応じて変調する電気光学変調装置と、前記電気光学変調装置で変調された光を投写面に投写する投写光学系と、前記投写光学系のズーム比を変更することが可能なズーム装置とを備えたプロジェクタにおける投写可能画面サイズ範囲表示方法であって、
プロジェクタから投写面までの投写距離及び投写面に対するプロジェクタの傾き角度を取得するステップと、
前記投写距離及び前記傾き角度から前記投写可能画面サイズ範囲を算出するステップと、
前記投写可能画面サイズ範囲を前記画像データに重畳するステップとを有することを特徴とするプロジェクタにおける投写可能画面サイズ範囲表示方法。
【発明の詳細な説明】
【技術分野】
【０００１】
本発明は、プロジェクタ及びプロジェクタの投写可能画面サイズ範囲表示方法に関する。
【背景技術】
【０００２】
投写画像の画面サイズを投写画像に重畳させて表示するプロジェクタが知られている（例えば、特許文献１参照。）。このようなプロジェクタによれば、投写画像を見れば投写画像の画面サイズがわかるため、便利である。
【０００３】
【特許文献１】特開平５−３００４５５号公報
【発明の開示】
【発明が解決しようとする課題】
【０００４】
しかしながら、特許文献１に開示されたプロジェクタにおいては、投写画像の画面サイズが所望の画面サイズとは異なるものであった場合には、投写画像の画面サイズが所望の画面サイズと同じになるまで、プロジェクタから投写面までの投写距離を調整したり投写光学系のズーム比を調整したりする多くの操作が必要となる場合があり、プロジェクタの設置位置を効率よく決めることができない場合があるという問題があった。
【０００５】
例えば、プロジェクタを所定位置に設置した場合に、投写画像の画面サイズが所望の画面サイズとは異なる場合を考える。
この場合、まず、その設置位置においてズーム比を調整することによって投写画像の画面サイズが所望の画面サイズと同じになるかどうか確認する。そして、投写画像の画面サイズが所望の画面サイズと同じになった場合にはよいのであるが、投写画像の画面サイズが所望の画面サイズとは同じにならなかった場合には、プロジェクタの設置位置を変更して、投写画像の画面サイズが所望の画面サイズと同じになるまで、上記操作を繰り返すことになる。
【０００６】
このため、特許文献１に開示されたプロジェクタにおいては、投写画像の画面サイズが所望の画面サイズとは異なるものであった場合に、投写画像の画面サイズが所望の画面サイズと同じになるまでに多くの操作が必要となる場合があり、プロジェクタの設置位置を効率良く決めることができない場合があるのである。
【０００７】
そこで、本発明は、所望の画面サイズが得られるプロジェクタの設置位置を効率良く決めることができるプロジェクタ及びプロジェクタにおける投写可能画面サイズ範囲表示方法を提供することを目的とする。
【課題を解決するための手段】
【０００８】
本発明のプロジェクタは、光源と、前記光源からの光を画像データに応じて変調する電気光学変調装置と、前記電気光学変調装置で変調された光を投写面に投写する投写光学系と、前記投写光学系のズーム比を変更することが可能なズーム装置とを備えたプロジェクタであって、前記プロジェクタを前記投写面に対して所定の位置に設置したときに前記投写面に投写可能な投写画像の画面サイズの範囲（以下、投写可能画面サイズ範囲という。）を、前記投写面に表示させる投写可能画面サイズ範囲表示装置をさらに備えたことを特徴とする。
【０００９】
このため、本発明のプロジェクタによれば、プロジェクタを投写面に対して所定の位置に設置した場合、その設置位置における投写可能画面サイズ範囲が投写面上に表示されるようになる。その結果、ユーザは、その設置位置で所望の画面サイズが得られるか否かを確認するために投写光学系のズーム比を調整する必要がなくなる。
また、本発明のプロジェクタによれば、投写面に投写可能な画面サイズが所定の幅をもった投写可能画面サイズ範囲として表示されるため、設置位置を変更する場合にも変更後の設置位置で所望の画面サイズが得られるか否かをすぐに確認することができるようになり、プロジェクタをきめ細かく設置し直す必要がなくなる。
このため、本発明のプロジェクタによれば、所望の画面サイズが得られるプロジェクタの設置位置を効率良く決めることができるようになる。
【００１０】
なお、本発明のプロジェクタにおいて、投写可能画面サイズ範囲は、例えば、「３６インチ〜７２インチ」というような内容である。
【００１１】
本発明のプロジェクタにおいては、前記投写可能画面サイズ範囲表示装置は、プロジェクタから投写面までの距離（以下、投写距離という。）を取得する投写距離取得装置と、前記投写距離取得装置が取得した投写距離から前記投写可能画面サイズ範囲を算出する投写可能画面サイズ範囲算出装置と、前記投写可能画面サイズ範囲算出装置が算出した投写可能画面サイズ範囲を前記画像データに重畳するデータ重畳装置とを有することが好ましい。
【００１２】
このように構成することにより、簡単な構成で投写可能画面サイズ範囲を投写面に表示させることができるようになる。
【００１３】
本発明のプロジェクタにおいては、前記投写可能画面サイズ範囲表示装置は、投写距離と投写可能画面サイズ範囲との関係が記述された第１のテーブルをさらに有し、前記投写可能画面サイズ範囲算出装置は、前記第１のテーブルを参照することによって前記投写距離から前記投写可能画面サイズ範囲を算出することが好ましい。
【００１４】
このように構成することにより、第１のテーブルを参照することによってその設置位置における投写可能画面サイズ範囲を投写距離から算出することができるので、投写可能画面サイズ範囲を投写距離から算出するための演算をその都度行う場合に比べて、少ない演算量で高速に投写可能画面サイズ範囲を算出することが可能となる。
【００１５】
本発明のプロジェクタにおいては、前記投写可能画面サイズ範囲表示装置は、投写面に対するプロジェクタの傾き角度を取得する傾き角度取得装置をさらに有するとともに、前記投写可能画面サイズ範囲算出装置に代えて、前記投写距離及び前記傾き角度から前記投写可能画面サイズ範囲を算出する第２の投写可能画面サイズ範囲算出装置を有することもまた好ましい。
【００１６】
このように構成することによっても、簡単な構成で投写可能画面サイズ範囲を投写面に表示させることができるようになる。また、この場合、台形歪みを考慮して投写可能画面サイズ範囲を算出することができるため、より正確な投写可能画面サイズ範囲を算出することが可能になる。
【００１７】
本発明のプロジェクタにおいては、前記投写可能画面サイズ範囲表示装置は、投写距離と投写可能画面サイズ範囲との関係が傾き角度毎に記述された第２のテーブルをさらに有し、前記第２の投写可能画面サイズ範囲算出装置は、前記第２のテーブルを参照することによって前記傾き角度及び前記投写距離から前記投写可能画面サイズ範囲を算出することが好ましい。
【００１８】
このように構成することにより、第２のテーブルを参照することによってその設置位置における投写可能画面サイズ範囲を投写距離及び傾き角度から算出することができるので、投写可能画面サイズ範囲を投写距離及び傾き角度から算出するための演算をその都度行う場合に比べて、少ない演算量で高速に投写可能画面サイズ範囲を算出することが可能となる。
【００１９】
本発明のプロジェクタにおける投写可能画面サイズ範囲表示方法は、光源と、前記光源からの光を画像データに応じて変調する電気光学変調装置と、前記電気光学変調装置で変調された光を投写面に投写する投写光学系と、前記投写光学系のズーム比を変更することが可能なズーム装置とを備えたプロジェクタにおける投写可能画面サイズ範囲表示方法であって、プロジェクタから投写面までの投写距離を取得するステップと、前記投写距離から前記投写可能画面サイズ範囲を算出するステップと、前記投写可能画面サイズ範囲を画像データに重畳させるステップとを有することを特徴とする。
【００２０】
このため、本発明のプロジェクタにおける投写可能画面サイズ範囲表示方法によれば、所望の画面サイズが得られるプロジェクタの設置位置を簡単な手順で効率良く決めることができるようになる。
【００２１】
本発明のプロジェクタにおける投写可能画面サイズ範囲表示方法は、光源と、前記光源からの光を画像データに応じて変調する電気光学変調装置と、前記電気光学変調装置で変調された光を投写面に投写する投写光学系と、前記投写光学系のズーム比を変更することが可能なズーム装置とを備えたプロジェクタにおける投写可能画面サイズ範囲表示方法であって、プロジェクタから投写面までの投写距離及び投写面に対するプロジェクタの傾き角度を取得するステップと、前記投写距離及び前記傾き角度から前記投写可能画面サイズ範囲を算出するステップと、前記投写可能画面サイズ範囲を前記画像データに重畳するステップとを有することを特徴とする。
【００２２】
このため、本発明のプロジェクタにおける投写可能画面サイズ範囲表示方法によっても、所望の画面サイズが得られるプロジェクタの設置位置を簡単な手順で効率良く決めることができるようになる。また、この場合、台形歪みを考慮して投写可能画面サイズ範囲を算出することができるため、より正確な投写可能画面サイズ範囲を算出することが可能になる。
【発明を実施するための最良の形態】
【００２３】
以下、本発明のプロジェクタ及びプロジェクタにおける投写可能画面サイズ範囲表示方法を、図に示す実施形態を用いて説明する。なお、本発明の実施形態に係るプロジェクタは、電気光学変調装置として液晶装置を用いたプロジェクタである。
【００２４】
[実施形態１]
図１は、実施形態１に係るプロジェクタ１０の構成を示す図である。
実施形態１に係るプロジェクタ１０は、図１に示すように、投写すべき画像データを入力する画像データ入力部１１、光源１２、光源１２からの光を画像データ入力部１１に入力された画像データに応じて変調する液晶装置１３、液晶装置１３を駆動する液晶装置ドライバ１４、液晶装置１３で変調された光を投写面としてのスクリーン３０に投写画像として投写する投写光学系１５、ユーザの操作に基づいて投写画像の画面サイズを所定範囲内の任意の画面サイズに設定するための制御を行う投写画面サイズ設定制御部１６、投写画面サイズ設定制御部１６からの制御情報に基づいて投写光学系１５のズーム比を変化させるズーム装置１７、オートフォーカス機能を有するフォーカス装置１８、プロジェクタ１０をスクリーン３０に対して所定の位置に設置したときにスクリーン３０に投写可能な投写画像の画面サイズの範囲である投写可能画面サイズ範囲を、スクリーン３０に表示させる機能を有する投写可能画面サイズ範囲表示装置１９を備えている。
【００２５】
投写可能画面サイズ範囲表示装置１９は、プロジェクタ１０からスクリーン３０までの投写距離を取得する投写距離取得装置１９１と、投写距離取得装置１９１が取得した投写距離から投写可能画面サイズ範囲を算出する投写可能画面サイズ範囲算出装置１９３と、投写可能画面サイズ範囲算出装置１９３が算出した投写可能画面サイズ範囲を画像データに重畳するデータ重畳装置１９４とを有している。
【００２６】
投写可能画面サイズ範囲表示装置１９は、投写距離と投写可能画面サイズ範囲との関係が記述された第１のテーブル１９２をさらに有し、投写可能画面サイズ範囲算出装置１９３は、第１のテーブル１９２を参照することによって投写距離から投写可能画面サイズ範囲を算出することとしている。
【００２７】
投写距離取得装置１９１は、赤外線をスクリーン３０にむけて照射するとともにスクリーン３０で反射された赤外線を検知する赤外線送受信装置１９６と、赤外線送受信装置１９６からの信号に基づいてプロジェクタ１０からスクリーン３０までの投写距離を算出する投写距離算出装置１９７とを有している。
【００２８】
図２は、実施形態１に係るプロジェクタ１０の設置状態を示す側面図である。なお、図２において、図１と同一部分には同一符号が付されている。
実施形態１に係るプロジェクタ１０は、図２に示すように、スクリーン３０上で投写画像に台形歪みなどが生じないように、投写光学系１５の光軸ａがスクリーン３０に対して直交するように設置台４０上に設置されている。
【００２９】
図３は、実施形態１に係るプロジェクタ１０に用いられる第１のテーブル１９２の一例を示す図である。なお、実施形態１に係るプロジェクタ１０のズーム比は２倍である。
【００３０】
第１のテーブル１９２は、図３に示すように、投写距離と、投写可能画面サイズ範囲としての最小投写可能画面サイズ及び最大投写可能画面サイズとが記述されている。なお、第１のテーブル１９２においては、投写距離が例えば０．１メートル間隔で記述されている。
【００３１】
第１のテーブル１９２においては、図３に示すように、例えば投写距離が１．０ｍである場合の最小投写可能画面サイズは３０インチ、最大投写可能画面サイズは６０インチと記述されており、このことは、投写距離が１．０ｍである場合の投写可能画面サイズ範囲は、３０インチ〜６０インチであることを示している。
【００３２】
なお、第１のテーブル１９２は、投写距離と投写可能画面サイズ範囲との関係を予め実験的に求めて作成されるものであり、ＲＯＭなどの記憶手段に記憶させておく。
【００３３】
投写可能画面サイズ範囲算出装置１９３は、第１のテーブル１９２を参照することで、投写距離取得装置１９１が取得した投写距離に対応する投写可能画面サイズ範囲を算出する。
【００３４】
図４は、実施形態１に係るプロジェクタ１０を用いた場合のユーザの設置操作手順を説明するフローチャートである。
【００３５】
まず、ユーザは、プロジェクタ１０をスクリーン３０に対して所定の位置に設置する（図４のステップＳ１）。
次に、その設置位置において、プロジェクタ１０から投写画像をスクリーン３０に投写させる（図４のステップＳ２）。
これにより、スクリーン３０上に投写された投写画像には、その設置位置における投写可能画面サイズ範囲が原投写画像に重畳されて表示され、表示された投写可能画面サイズ範囲から所望の投写画面サイズが得られるか否かを判断する（図４のステップＳ３）。
【００３６】
図５は、スクリーン３０に投写可能画面サイズ範囲が表示された例を示す図である。
図５には、投写可能画面サイズ範囲が「３６インチ〜７２インチ」と表示された例が示されている。このとき、所望の画面サイズが例えば７０インチであったとすれば、ズーム比を調整することにより、その設置位置で所望の画面サイズが得られることがわかる。これにより、プロジェクタ１０の設置位置は適正であるとして、設置操作を終了する（図４のステップＳ４）。
【００３７】
一方、所望の画面サイズが例えば８０インチであったとすれば、その設置位置では所望の投写画面サイズが得られないことがわかるので、より大きな画面サイズが得られるようにプロジェクタ１０の設置位置を変更する（図４のステップＳ５）。
【００３８】
そして、プロジェクタ１０の設置位置の変更後、ステップＳ２に戻り、その設置位置において、プロジェクタ１０から投写画像をスクリーン３０に投写させる操作を行い、その設置位置において所望の画面サイズが得られれば、プロジェクタ１０の設置位置は適正であるとして、設置操作を終了し（図４のステップＳ４）、その設置位置においてもまだ所望の画面サイズが得られなければ、ステップＳ５の操作を行ったのち、ステップＳ２以降の操作を繰り返し行う。
【００３９】
このため、実施形態１に係るプロジェクタ１０によれば、プロジェクタ１０をスクリーン３０に対して所定の位置に設置した場合、その設置位置における投写可能画面サイズ範囲がスクリーン３０に表示されるようになる。その結果、ユーザは、その設置位置で所望の画面サイズが得られるか否かを確認するために投写光学系のズーム比を調整する必要がなくなる。
また、実施形態１に係るプロジェクタ１０によれば、スクリーン３０に投写可能な画面サイズが所定の幅をもった投写可能画面サイズ範囲として表示されるため、設置位置を変更する場合にも変更後の設置位置で所望の画面サイズが得られるか否かをすぐに確認することができるようになり、プロジェクタ１０をきめ細かく設置し直す必要がなくなる。
このため、実施形態１に係るプロジェクタ１０によれば、所望の画面サイズが得られるプロジェクタの設置位置を効率良く決めることができるようになる。
【００４０】
図６は、プロジェクタ１０における投写可能画面サイズ範囲表示装置１９の動作を説明するフローチャートである。
まず、プロジェクタ１０がある所定位置に設置されると、投写距離取得装置１９１がプロジェクタ１０からスクリーン３０までの投写距離を取得する（図６のステップＳ１１）。
次に、投写可能画面サイズ範囲算出装置１９３が、第１のテーブル１９２を参照することによって、投写距離取得装置１９１が取得した投写距離から投写可能画面サイズ範囲を算出する（図６のステップＳ１２）。
次に、データ重畳部１９４が、投写可能画面サイズ範囲算出装置１９３が算出した投写可能画面サイズ範囲を画像データ入力部１１からの画像データに重畳する(図６のステップＳ１３)。
【００４１】
このように、投写可能画面サイズ範囲表示装置１９によって、その設置位置における投写可能画面サイズ範囲が画像データ入力部１１からの画像データに重畳されると、図５に示すように、スクリーン３０には投写可能画面サイズ範囲が表示されるようになる。
なお、スクリーン３０には画像データ入力部１１からの画像データに係る画像を表示させずに、投写可能画面サイズ範囲のみを表示させることもできる。
【００４２】
[実施形態２]
実施形態２に係るプロジェクタ１０ａは、プロジェクタからの投写画像がスクリーン３０上で台形歪みを有する状態で表示される場合もあることを考慮して、投写可能画面サイズ範囲の表示を行うようにしたものである。
【００４３】
図７は、実施形態２に係るプロジェクタ１０ａの設置状態を示す側面図である。なお、図７において、図２と同一部分には同一符号が付されている。
実施形態２に係るプロジェクタ１０ａは、図７に示すように、投写光学系１５の光軸ａとスクリーン３０の法線とが所定の傾き角度θを有する状態で、設置台４０上に設置されている。なお、傾き角度とは、スクリーン３０に対するプロジェクタ１０ａの傾き角度、すなわち、スクリーン３０の法線に対する投写光学系１５の光軸ａのなす角度のことである。
上記のように、プロジェクタ１０ａが所定の傾き角度θを有する状態で設置台４０上に設置されているため、プロジェクタ１０ａからの投写画像はスクリーン３０上で台形歪みを有している。なお、傾き角度θは所定の範囲で任意に設定可能であり、傾き角度θの大きさに応じて台形歪みの度合いも異なる。
【００４４】
図８は、実施形態２に係るプロジェクタ１０ａに用いられる第２のテーブル１９２ａの一例を示す図である。第２のテーブル１９２ａは、図８に示すように、傾き角度毎に、投写距離と投写可能画面サイズ範囲との関係が記述された第２のサブテーブル１９２ａ１，１９２ａ２，・・・を有している。例えば、傾き角度θを２°単位毎に記述している場合には、θ=２°，４°，・・・のそれぞれに対応した第２のサブテーブル１９２ａ１，１９２ａ２，・・・を有している。
【００４５】
第２のテーブル１９２ａにおける第２のサブテーブル１９２ａ１，１９２ａ２，・・・は、投写距離と、傾き角度と、投写可能画面サイズ範囲との関係を予め実験的に求めて作成されるものであり、実施形態１に係るプロジェクタ１０に用いられる第１のテーブル１９２の場合と同様に、ＲＯＭなどの記憶手段に記憶させておく。
なお、第２のサブテーブル１９２ａ１，１９２ａ２，・・・における、投写可能画面サイズ範囲は、台形歪み補正を行ったあとの投写可能画面サイズ範囲となっている。
【００４６】
図９は、実施形態２に係るプロジェクタ１０ａの構成を示す図である。なお、図９において、図１と同一部分には同一符号が付されている。
実施形態２に係るプロジェクタ１０ａの構成が実施形態１に係るプロジェクタ１０の構成と異なるのは、スクリーンに対するプロジェクタの傾き角度を取得する傾き角度取得装置１９５をさらに有する第２の投写可能画面サイズ範囲表示装置１９ａを備えた点と、投写距離と投写可能画面サイズ範囲との関係が傾き角度毎に記述された第２のテーブル１９２ａを第２の投写可能画面サイズ範囲表示装置１９ａが有する点である。
【００４７】
したがって、実施形態２に係るプロジェクタ１０ａにおいては、第２の投写可能画面サイズ範囲算出装置１９３ａは、第２のテーブル１９２ａを参照することによって、傾き角度取得装置１９５が取得する傾き角度及び投写距離取得装置１９１が取得する投写距離から投写可能画面サイズ範囲を算出する。
例えば、プロジェクタ１０ａの傾き角度が、θ＝２°であるとすれば、第２の投写可能画面サイズ範囲算出装置１９３ａは、第２のテーブル１９２ａの中の傾き角度θ＝２°に対応する第２のサブテーブル１９２ａ１を参照する（図８参照。）。
【００４８】
これによって、実施形態２に係るプロジェクタ１０ａにおいては、例えば、傾き角度θ＝２°で、投写距離が１．０メートルであったとすれば、投写画像には投写可能画面サイズ範囲として「３１インチ〜６２インチ」という表示がなされることになる。
【００４９】
なお、実施形態２に係るプロジェクタ１０ａを用いた場合の設置操作は、実施形態１と同様の操作手順（図４参照。）で行うことができる。また、プロジェクタ１０ａの投写可能画面サイズ範囲表示装置１９ａが行う動作手順も実施形態１と同様の動作手順（図６参照。）で行うことが可能である。
【００５０】
以上、本発明のプロジェクタ及びプロジェクタにおける投写可能画面サイズ範囲表示方法を上記の各実施形態に基づいて説明したが、本発明は上記の各実施形態に限定されるものではなく、その要旨を逸脱しない範囲において種々の態様において実施することが可能であり、例えば次のような変形も可能である。 
【００５１】
（１）上記各実施形態のプロジェクタ１０，１０ａにおいては、その設置位置におけるプロジェクタの投写可能画面サイズ範囲を表示するようにしたが、本発明はこれに限定されるものではない。投写可能画面サイズ範囲に加えて投写画像の画面サイズを表示することもできる。
【００５２】
（２）上記各実施形態のプロジェクタ１０，１０ａは、電気光学変調装置として液晶装置１３を用いているが、本発明はこれに限定されるものではない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００５３】
（３）実施形態２に係るプロジェクタ１０ａにおいては、投写光学系１５の光軸ａとスクリーン３０の法線とが鉛直方向に沿って傾いている場合を例にとってその効果を説明したが、本発明はこれに限定されるものではない。投写光学系１５の光軸ａとスクリーン３０の法線とが水平方向に沿って傾いている場合であっても同様の効果が得られる。 
【００５４】
（４）上記各実施形態のプロジェクタ１０，１０ａにおいて記載した第１のテーブル１９２及び第２のテーブル１９２ａにおける投写距離、傾き角度、投写可能画面サイズ範囲など（図３及び図８参照。）は一例であって、この内容に限られるものではないことはいうまでもない。
【図面の簡単な説明】
【００５５】
【図１】実施形態１に係るプロジェクタ１０の構成を示す図。
【図２】実施形態１に係るプロジェクタ１０の設置状態を示す側面図。
【図３】実施形態１に係るプロジェクタ１０に用いられる第１のテーブル１９２の一例を示す図。
【図４】実施形態１に係るプロジェクタ１０を用いた場合のユーザの設置操作手順を説明するフローチャート。
【図５】スクリーン３０に投写可能画面サイズ範囲が表示された例を示す図。
【図６】実施形態１に係るプロジェクタ１０における投写可能画面サイズ範囲表示装置１９の動作を説明するフローチャート。
【図７】実施形態２に係るプロジェクタ１０ａの設置状態を示す側面図。
【図８】実施形態２に係るプロジェクタ１０ａに用いられる第２のテーブル１９２ａの一例を示す図。
【図９】実施形態２に係るプロジェクタ１０ａの構成を示す図。
【符号の説明】
【００５６】
１０，１０ａ…プロジェクタ、１１…画像データ入力部、１２…光源、１３…液晶装置、１４…液晶装置ドライバ、１５…投写光学系、１６…投写画面サイズ設定制御部、１７…ズーム装置、１８…フォーカス装置、１９…投写可能画面サイズ範囲表示装置、１９ａ…第２の投写可能画面サイズ範囲表示装置、３０…スクリーン、４０…設置台、１９１…投写距離取得装置、１９２…第１のテーブル、１９２ａ…第２のテーブル、１９２ａ１，１９２ａ２…第２のサブテーブル、１９３…投写可能画面サイズ範囲算出装置、１９３ａ…第２の投写可能画面サイズ範囲算出装置、ａ…光軸
【図１】
2006165618.tif 000003
【図２】
2006165618.tif 000004
【図３】
2006165618.tif 000005
【図４】
2006165618.tif 000006
【図５】
2006165618.tif 000007
【図６】
2006165618.tif 000008
【図７】
2006165618.tif 000009
【図８】
2006165618.tif 000010
【図９】
2006165618.tif 000011